(57)【要約】      （修正有） 【課題】簡単な構造で極めて着脱が容易で、かつ十分な装着安定性を発揮し、さらに低コストな紐靴に固定できる足の甲部に位置する紐及び紐の挿通孔よりなる紐部を覆い、紐の挿通孔から髪の毛、ゴミ等の靴内への入り込み、紐への髪の毛、ゴミ等が付着することを防止する紐靴カバーを提供する。【解決手段】足の甲部に位置する紐７及び紐の挿通孔８よりなる紐部を覆うカバー部２と、前記カバー部の足首側に連設し、前記カバー部の裏面側に折れ曲り、紐靴の内部にある足の甲部を覆う内部カバー９と足の甲部との間又は前記内部カバーと紐の間に差し込む差込部３とからなる紐靴カバーの構成とした。【選択図】図４
0003146441.tif 000002
【実用新案登録請求の範囲】
【請求項１】
足の甲部に位置する紐及び紐の挿通孔よりなる紐部を覆うカバー部と、前記カバー部の足首側に連設し、前記カバー部の裏面側に折れ曲り、紐靴の内部にある足の甲部を覆う内部カバーと足の甲部との間又は前記内部カバーと紐の間に差し込む差込部とからなる紐靴カバー。
【請求項２】
前記カバー部と差込部が断面コの字型に形成され、前記カバー部と差込部との間に隙間を形成したことを特徴とする請求項１に記載の紐カバー。
【請求項３】
前記紐靴カバーが、紙製であることを特徴とする請求項１又は請求項２に記載の紐靴カバー。
【請求項４】
前記カバー部に、先端から足首側方向に、折目を設けたことを特徴とする請求項１〜請求項３の何れか１項に記載の紐靴カバー。
【請求項５】
前記差込部に前記折目との直交方向に、２本折目をさらに形成したことを特徴とする請求項４に記載の紐靴カバー。
【請求項６】
前記カバー部の略中央部に、略Ｕ字形状の孔を穿設し、差込部方向で連結し先端部方向裏面に突出し、紐間に差し込み紐に係止する係止片を設けたことを特徴とする請求項１〜請求項５の何れか１項に記載の紐靴カバー。
【請求項７】
前記紐靴カバーの表面に、紐部の印刷を施し、防水処理を施したことを特徴とする請求項１〜請求項６の何れか１項に記載の紐靴カバー。
【考案の詳細な説明】
【技術分野】
【０００１】
本考案は、足の甲部に位置する紐及び紐の挿通孔よりなる紐部を覆い、紐の挿通孔から髪の毛、ゴミ等の靴内への入り込み、紐への髪の毛、ゴミ等が付着することを防止する紐靴カバーに関する。
【背景技術】
【０００２】
紐靴としては、フォーマルな革靴、運動靴、図７に示すスニーカーなどは、足の甲部に位置する紐７及び紐７の挿通孔８よりなる紐部６を有する。また、紐靴５は、足のつま先方向に位置する先端部５ｂ方向の紐靴５本体５ａ内部である紐部６先端部付近に取り付けられ、足首付近まで伸びた足の甲部を覆う内部カバー９を備える。
【０００３】
特に、理容・美容師などは、立ち仕事であり、動きやすさ、軽さ、ファッション性からスニーカーなどの紐靴５を利用する。
【０００４】
理容店・美容院では、カットされて髪の毛は、床に落下する。被施術者は、首から足首までシート状の防具で覆われ、カットされた髪の毛の身体へ付着を防止されている。しかし、施術者は、そのような防具を身につけないのが一般的である。また、被施術者にあっても、足の甲部までは防具で覆われていない。
【０００５】
従って、一端付着した髪の毛は、刷毛で払ったり、エアーを吹き付け吹き飛ばし、或いは吸引機等で吸い取るなどしていた。しかし、なかなか取り除けないこと、特に、紐７に突き刺さった髪の毛、挿通孔８から靴５内部に進入した髪の毛はそれら処置では取り除けず、ピンセットにより引き抜き、靴５脱いでの除去を必要とし、被施術者、施術者にとって極めて手間であった。
【０００６】
そのような問題を防止する紐靴カバーとして、特許文献１の「紐保護カバー」、特許文献２の「ひも靴カバー」、特許文献３の「紐靴の防水具」等が既に開発されている。
【０００７】
特許文献１は、髪の毛、鋸屑や石粉等が靴紐に付着したり、靴紐間に入り込むことを防止すること、また、必要時にのみ靴紐のカバーができ、その装着及び交換を簡単に行うことが可能であること、且つ靴の大きさにより容易にその大きさに合ったカバー材を得ることができるものである。更に、軽量で屈曲性がよく歩行感に優れ、また、一足の靴で様々なカバー材を簡単に着脱自在に装着することができるので様々なパターンを楽しむことができ、ファッション性の高い、安価でオリジナルなカバー材を提供することを目的としている。
【０００８】
特許文献１の「紐靴保護カバー」は、先端部を湾曲形成し全体が靴の甲にほぼ一致する形状を有し、該先端部に靴紐との取着手段を設け、付け根部にはその左右両端部に靴紐挿通孔を形成してなることを特徴とする。また、表裏面のいずれかに、表裏面方向に対して折れ曲がりのための薄肉部を形成したことを特徴とする。先端部にはその表裏面のいずれかに甲の大きさを選択する目印を表示し、該目印として切断線を表記又は切断溝を形成してなることを特徴とする。取着手段を先端部裏面側或いは先端部端縁に装着してなることを特徴とする。先端部から付け根部にわたる裏面側に、複数個の引っ掛け部を形成し、該引っ掛け部には靴紐との取り付け位置に応じて取着手段を着脱自在に装着してなることを特徴とするものである。
【０００９】
特許文献２は、ひも靴に髪の毛が入らないように、また、靴の中に髪の毛が入らないようにするためのひも靴カバーを提供することを目的としている。
【００１０】
特許文献２の「ひも靴カバー」は、第１の部材と第２の部材とを備え、前記第１の部材は第１の端部を有し、前記第１の部材は、髪の毛を通さない素材からなり且つ少なくともひも靴の編み部分の全体を覆うことができる寸法であり、前記第１の部材の第１の端部付近に靴ひもを通すための少なくとも２つの穴を有し、前記第２の部材は、第１の端部及び第２の端部を有し、前記第２の部材の前記第２の端部が前記第１の部材の背面に接続され、前記第２の部材の前記第１の端部は、ひも靴の編み部分を通るひもの少なくとも一部の下に通すことができることを特徴とする（請求項１）。また、請求項１に記載のひも靴カバーであって、前記第２の部材は、靴ひもと係合する切り欠き部を有することを特徴とする。
【００１１】
特許文献３は、紐靴を着用してのサイクリングやツーリングの最中に雨が降っても、簡単に素早く装着できると共に、靴紐部からの雨水の浸入を完全に防止することが可能な紐靴の防水具を提供することを目的とする。
【００１２】
特許文献３の「紐靴カバー」は、紐靴を着用した人のつま先部から足首に向けて押込むように装着して靴の甲部分を覆い、靴紐部からの雨水の浸入を防止するカバー状の防水具であって、つま先部に係止する比較的硬質の袋状前端部材と、靴の甲部分を覆う軟質のカバー本体部材と、前記カバー本体部の下側に、靴紐部の下をつま先部から足首部に向かう方向に差し込む比較的硬質の係止部材とを備えることを特徴とする。
【特許文献１】特開２００５−４０５２４号公報
【特許文献２】登実３１３７２０５号公報
【特許文献３】特開２００４−５７４３２号公報
【考案の開示】
【考案が解決しようとする課題】
【００１３】
特許文献１の「紐靴保護カバー」では、靴への着脱手段として、靴紐を通す靴紐挿通孔１０、１１、さらに紐靴保護カバー裏面にクリップ１２などの取着手段を設けている。従って、例えば、被施術者においては予め紐靴保護カバーを装着してくるか、理容店・美容院で装着することになる。しかし、着脱が複雑で、かつ施術者による着脱は、紐を解き、結び直しがあることから被施術者に好まれない。被施術者においては、特許文献１ほどの強固な取り付けを要しない。
【００１４】
同様に、特許文献２の「ひも靴カバー」、特許文献３の「紐靴カバー」でも、靴紐の挿通孔を用いる着脱方法を採用するため、着脱が極めて複雑で、時間を要しとても理容店・美容院の被施術者には適さない。また、構造も複雑で、製造コストも高くならざるを得ない。被施術者ごとに交換するとなると、とても経費が高くつき、現実的でない。さらには、足の先端下部から甲部、側部を広く覆うため、足の屈曲を妨げ、歩きづらく施術者にとっては長時間の使用はとても困難である。
【００１５】
そこで、本考案は、簡単な構造で極めて着脱が容易で、かつ十分な装着安定性を発揮し、さらに低コストな紐靴に固定できる足の甲部に位置する紐及び紐の挿通孔よりなる紐部を覆い、紐の挿通孔から髪の毛、ゴミ等の靴内への入り込み、紐への髪の毛、ゴミ等が付着することを防止する紐靴カバーを提供することを目的とする。
【課題を解決するための手段】
【００１６】
本考案は、上記の課題を解決するために、足の甲部に位置する紐及び紐の挿通孔よりなる紐部を覆うカバー部と、前記カバー部の足首側に連設し、前記カバー部の裏面側に折れ曲り、紐靴の内部にある足の甲部を覆う内部カバーと足の甲部との間又は前記内部カバーと紐の間に差し込む差込部とからなる紐靴カバーの構成、さらに前記カバー部と差込部が断面コの字型に形成され、前記カバー部と差込部との間に隙間を形成したことを特徴とする前記紐カバーの構成とした。
【００１７】
また、前記紐靴カバーが、紙製とし、さらに、前記カバー部に、先端から足首側方向に、折目を設けたことを特徴とする前記医何れかに記載の紐靴カバーの構成、前記差込部に前記折目との直交方向に、２本折目をさらに形成したことを特徴とする前記紐靴カバーの構成とした。
【００１８】
加えて、前記カバー部の略中央部に、略Ｕ字形状の孔を穿設し、差込部方向で連結し先端部方向裏面に突出し、紐間に差し込み紐に係止する係止片を設けたことを特徴とする前記何れかに記載の紐靴カバーの構成、前記紐靴カバーの表面に、紐部の印刷を施し、防水処理を施したことを特徴とする前記何れかに記載の紐靴カバーの構成とした。
【考案の効果】
【００１９】
本考案の紐靴カバーは、上記構成であるから次の効果を発揮する。第１に、少なくとも紐部を覆うカバー部と一体の差込部を設け、紐靴の内部にある足の甲部を覆う内部カバーと足の甲部との間又は前記内部カバーと紐の間に差し込むことで、紐靴への紐靴カバーの着脱が容易になる。差込部の横幅（Ｗ）を所定以上、例えば１．５ｃｍ以上、好ましくは２ｃｍ〜３．５ｃｍ程度とすればゆっくりな歩行でも脱落することがない装着安定性を有する。一体成型であるので、金型を用いた低コストでの製造が可能である。
【００２０】
次に、カバー部と差込部が断面コの字型に形成され、前記カバー部と差込部とに隙間を形成したことにより、厚みの異なる内部カバーであっても汎用性があり、内部カバーに引っ掛けるだけであるので極めて簡単に紐靴に装着することができる。
【００２１】
また、前記紐靴カバーを、紙製とすることで、極めて低コストで製造可能で、かつ汚れた場合、被装着者ごとに頻繁に取り替えが可能で、常に清潔に使用することができる。
【００２２】
第４に、カバー部、差込部に適宜、縦、横に折目、必要に応じて切込を設けることで、足の形状に合わせることができ、装着安定性が一層高まり、さらにより広範囲、先端部、甲部の左右側部を完全に覆うことも可能になる。従って、このような本考案の紐靴カバーであれば、紐靴でなくとも、靴を繊維を織った布などである靴に装着しても、靴表面に髪の毛、ゴミなとが付着せず有効である。
【００２３】
加えて、カバー部の略中央部に、略Ｕ字形状の孔を穿設し、差込部方向で連結し先端部方向裏面に突出し、紐に差し込み係止する係止片を設けたことにより、より一層装着安定性がまし、歩行、立ち仕事においても、簡単に脱落することがない。
【００２４】
さらに、前記紐靴カバーの表面に、紐部の印刷を施し、防水処理を施すことにより、ファッション性が高まり、また紙製であっても水に触れても簡単に軟化、破損することがなく、適用範囲が広まる。
【考案を実施するための最良の形態】
【００２５】
以下、添付図面に基づき、本考案である紐靴カバーについて詳細に説明する。
【実施例１】
【００２６】
図１は本考案である紐靴カバーの平面図、図２は左側面図、図３は図１のＡ−Ａ線断面図である。
【００２７】
本考案である紐靴カバー１は、カバー部２と差込部３からなる。カバー部２は足の甲部に位置する紐７及び紐７の挿通孔８よりなる紐部６を覆う甲部形状に湾曲した形状をしている。
【００２８】
甲部形状に湾曲とは、図１〜図３に示すように、カバー部２の左右側部２ａ、２ｂが下で、中央部２ｃが上に緩やかな凸状で、さらに先端部２ｄが少し上に反り上がってもよい。なお、カバー部２の形状は、カバー部２の覆う範囲により適宜、足の甲部、つま先部、側部形状に合わせた形状を採用することができる。
【００２９】
また、足首側の左右末端部２ｅ、２ｆも、カバー部２が覆う範囲の足の形状に合わせる。図１では足首に沿うような形状の左右内側部２ｇ、２ｆを有し、差込部３よりも左右末端部２ｅ、２ｆよりもカバー部２内方に窪んでいる。但し、差込部３が左右末端部２ｅ、２ｆよりかかと側に突出しても構わない。
【００３０】
カバー部２の略中央部２ｃには、略Ｕ字形状の孔４ａを穿設し、差込部３方向で連結し先端部２ｄ方向裏面２ｉに突出し、紐７間に差し込み紐７に係止する係止片４が設けられている。
【００３１】
係止片４の先端は、予め裏面２ｉに突出していても、カバー部２と水平にも設けられていてもよい。水平である場合は、指で軽く紐靴側に押し込むことで、簡単に紐に係止することができる。
【００３２】
差込部３は、カバー部２の足首側に連設し、カバー部２の裏面２ｉ側に折れ曲り、紐靴５の内部にある足の甲部を覆う内部カバー９と足の甲部との間又は内部カバー９と紐７の間に差し込む。
【００３３】
図４（Ｂ）に示すように、差込部３の横幅（Ｗ）を所定以上、例えば１．５ｃｍ以上、好ましくは２ｃｍ〜３．５ｃｍ程度とすればゆっくりな歩行でも脱落することがない充分な装着安定性を有する。
【００３４】
折り返して、内部カバー９に差し込む長さは、２ｃｍ以上、好ましくは２ｃｍ〜１０ｃｍ、さらに好ましくは５ｃｍ〜８ｃｍ程度あればよい。実施例１では、図４（Ａ）に示すように、差込部３は、カバー部２の先端部２ｄ付近まであり（約５ｃｍ）、差込部３の先端は、紐部６の先端部を越えた部分まで到達する。これにより、差込部３のみによっても、歩行時においても、カバー部２が上下動することなく、甲部にフィットする。
【００３５】
差込部３は、図３断面にあるように、カバー部２と差込部３が断面コの字型に形成され、カバー部２と差込部３との間に隙間３ａを形成することが望ましい。なお、隙間３ａを設けることなく、カバー部２と差込部３が密着させた場合は、装着は若干困難になるが、装着性安定性が増す。
【００３６】
このようにしてなる紐靴カバー１は、樹脂などの素材を金型で、一体成型することが可能で、低コストで製造することが可能になる。紙で生成することもできるが、紙製とする場合は実施例２の紐靴カバーの形状が、製造面から好ましい。
【００３７】
図４〜図７を参照して、本考案である紐靴カバー１の紐靴５への装着方法を説明する。図４（Ｂ）が本考案である紐靴カバーの使用状態図（平面）である。図５が本考案である紐靴カバーの装着方法を示す左側面である。図６が本考案である紐靴カバーの使用状態図（左側面）である。
【００３８】
図４（Ａ）及び図５に示す紐靴カバー１の差込部３を内部カバー９と足１０の甲部１０ａとの間に挿入し、内部カバー９に引っ掛け、内部カバー９と足１０の甲部１０ａで固定する（図４（Ｂ）、図６）。
【００３９】
また、係止片４を適当な位置の紐７間に差し込み、紐靴カバー１を紐靴５の紐部６に固定する。本考案である紐靴カバー１は、簡単な構造で、極めて容易に紐靴５に固定することができ、紐部６を覆い、髪の毛、ゴミ等の紐部６へ付着を防止することができる。
【実施例２】
【００４０】
次に、本考案である紐靴カバーの他の実施形態について説明する。図８は、本考案である紐靴カバーの他の実施形態の展開平面図である。本考案である紐靴カバー１１は、紙製、例えばボール紙、ダンボール等であり、カバー部１２と差込部１３とからなる。
【００４１】
カバー部１２は、足の甲部に位置する紐７及び紐７の挿通孔８よりなる紐部６を覆う平面略四角形状をしている。なお、平面形状は、略四角形に限定されることはなく、少なくとも紐部６を覆うことができれば、甲部１０ａの形状に沿った楕円形状など種々の形状を採用することができる。
【００４２】
カバー部１２の略中央部２ｃには、略Ｕ字形状の１４ａを穿設し、差込部１３方向で連結し先端部１２ｄ方向裏面１２ｈに突出し、紐７間に差し込み紐７に係止する係止片１４が設けられている。
【００４３】
係止片１４の先端は、予め裏面１２ｈに突出していても、カバー部１２と水平にも設けられていてもよい。水平である場合は、指で軽く紐靴側に押し込むことで、簡単に紐に係止することができる。
【００４４】
さらに、カバー部１２には、先端部１２ｄから末端１２ｅ方向の左右に、押圧などして形成した溝、破線状に並んだ穴などの左折目１２ｆ、右折目１２ｇが形成されている。左右折目１２ｆ、１２ｇは、中央部１２ｃから地面方向に左右側部１２ａ、１２ｂを折曲げる部分で、その折曲げを容易にする。左右側部を甲部１０ａの幅方向に長く形成すれば、足の甲部の側部を完全に覆うこともできる。
【００４５】
これにより、足１０に甲部１０ａの湾曲形状に沿って、紐靴カバー１１を紐靴５の紐部６により密着固定させることができ、歩行によっても紐靴カバーの浮きを抑制する。
【００４６】
また、カバー部１２には、左右折目１２ｆ、１２ｇに直交する方向に、左右折目１２ｆ、１２ｇと同様にして第３折目１２ｉを形成する。第３折目１２ｉの左右側部１２ａ、１２ｂに位置する部分は、切除できるよう破線状に並んだ穴などを形成、或いは予め切断しておく左右切込１２ｊ、１２ｋを形成する。
【００４７】
第３折目１２ｉを設けることにより、先端部１２ｄを地面と逆方向、或いは地面方向に折曲げることができる。さらに、左右切込１２ｊ、１２ｋを設けることにより、左右側部１２ａ、１２ｂを折曲げても、先端部１２ｄを歪むことなく地面と逆方向、或いは地面方向に折曲げることができる。従って、先端部１２ｄで、紐靴５の先端部５ｂをより広く覆うことができる。
【００４８】
左右折目１２ｆ、１２ｇ、第３折目１２ｉは、複数設けることができ、さらにそれぞれ平行でなく斜めに設けることで、足１０の甲部１０ａ形状により近づけたカバー部１２を成型することができる。また、それら折目は直線でなく足形状に合わせ孤状に形成してもよい。
【００４９】
差込部１３は、カバー部１２の足首側に位置する末端１１２ｅに連設し、略四角形状をしている。カバー部１２と差込部１３の境界には押圧などして形成した溝、破線状に並んだ穴などの第１折目１３ａが形成される。これにより、差込部１３がカバー部１２の裏面側に折れ曲り易くなる。差込部１３は、紐靴５の内部にある足１０の甲部１０ａを覆う内部カバー９と足１０の甲部１０ａとの間又は内部カバー９と紐７の間に差し込む。
【００５０】
差込部１３には、さらに、第１折目１３ａから数ｍｍ程度の距離をおき、第１折目１３ａと平行に、第１折目１３ａと同様にして形成した第２折目１３ｂが形成されている。これにより、第２折目１３ｂから差込部１３を折曲げることでカバー部１２と差込部１３との間に隙間１３ｃを形成することができ、その隙間１３ｃに内部カバー９、或いは紐７を収納し、紐靴カバー１１を紐靴５の紐部に固定することができる。差込部１３の横幅（Ｗ）、長さは実施例１の差込部３と同様でよい。
【００５１】
さらに、紐靴カバー１１の表面には、紐部６が印刷されている。これにより、理容店・美容院等の施術者が、紐部６に紐靴カバー１１を常時装着していても、図９に示すように、ファッション的な違和感がない。その他、多種多用な模様、色彩をカバー部１２表面に印刷して、紐靴カバーの選択で紐靴をファッショナブルにアレンジすることもできる。
【００５２】
図１０は、本考案である紐靴カバーの他の実施形態の使用状態（紐靴は除く）の断面図である。図１０（Ａ）が図９Ｂ−Ｂ線断面図、（Ｂ）が（Ａ）の一点鎖線サークル部の拡大断面図、（Ｃ）が図９Ｃ−Ｃ線断面図である。
【００５３】
図１０（Ａ）に示すように、左右折目１２ｆ、１２ｇで、左右側部１２ａ、１２ｂが井面方向に屈折して、甲部１０ａの側部をもカバーする。係止片１４は、紐７に係止され、紐靴カバー１１の装着安定性を向上する。
【００５４】
図１０（Ｂ）に示すように、カバー部１２は断面３層構造をしている。第一層が、紙素材の基材１５であり、一枚の紙を所定の形状に打ち抜き形成する。その表面に所定の模様、色彩を印刷した印刷層１６が形成される。紐靴カバー１１では紐部６の模様である。
【００５５】
印刷層１６の上には防水層１７が形成される。印刷層１６のにじみ、さらには基材１５の保護機能を有する。これら印刷層１６、防水層１７は必要に応じて形成される。
【００５６】
基材１５のまま紐靴カバー１１としてもよいし、印刷層１６がなく防水処理した防水層１７を形成してもよい。また、印刷層１６に防水機能を有すれば、別に防水層１７を必要としない。
【００５７】
このようにしてなる紙製の紐靴カバー１１は、紙を所定の形状で打ち抜くことで簡単、かつ低廉に製造することができる。従って、汚れ、破損、使用者毎に交換しても低コストで、清潔に使用することができる。
【００５８】
これら紐靴カバーは、紐部６への付着、紐靴５内へのゴミ等の進入を防止し、理容店・美容院の施術者、被施術者に限らず、多くの業種の者でも使用し、便利である。
【図面の簡単な説明】
【００５９】
【図１】本考案である紐靴カバーの平面図である。
【図２】本考案である紐靴カバーの左側面図である。
【図３】本考案である紐靴カバーのＡ−Ａ線断面図である。
【図４】本考案である紐靴カバーの使用状態図（平面）である。
【図５】本考案である紐靴カバーの装着方法を示す左側面である。
【図６】本考案である紐靴カバーの使用状態図（左側面）である。
【図７】一般的な紐靴の斜視図である。
【図８】本考案である紐靴カバーの他の実施形態の展開平面図である。
【図９】本考案である紐靴カバーの他の実施形態の使用状態図（平面）である。
【図１０】本考案である紐靴カバーの他の実施形態の使用状態の断面図である。
【符号の説明】
【００６０】
１      紐靴カバー
２      カバー部
２ａ      左側部
２ｂ      右側部
２ｃ      中央部
２ｄ      先端部
２ｅ      左末端部
２ｆ      右末端部
２ｇ      左内側部
２ｈ      右内側部
２ｉ      裏面
３        差込部
３ａ      隙間
４        係止片
４ａ      孔
５        紐靴
５ａ      本体
５ｂ      先端部    
６        紐部
７        紐
８        挿通孔
９        内部カバー
１０      足
１０ａ    甲部
１１      紐靴カバー
１２      カバー部
１２ａ    左側部
１２ｂ    右側部
１２ｃ    中央部
１２ｄ    先端部
１２ｅ    末端
１２ｆ    左折目
１２ｇ    右折目
１２ｈ    裏面
１２ｉ    第３折目
１２ｊ    左切込
１２ｋ    右切込
１３      差込部
１３ａ    第１折目
１３ｂ    第２折目
１３ｃ    隙間
１４      係止片
１４ａ    甲
１５      基材
１６      印刷層
１７      防水層
【図１】
0003146441.tif 000003
【図２】
0003146441.tif 000004
【図３】
0003146441.tif 000005
【図４】
0003146441.tif 000006
【図５】
0003146441.tif 000007
【図６】
0003146441.tif 000008
【図７】
0003146441.tif 000009
【図８】
0003146441.tif 000010
【図９】
0003146441.tif 000011
【図１０】
0003146441.tif 000012